(57)【要約】【課題】セキュリティを確保しつつ、住宅設備機器のメンテナンス作業の利便性を高めることを可能とする。【解決手段】住宅設備機器１の操作部３の所定の操作を行うと、操作部３からサーバ２０に認証コードの発行要求情報が送信されて、サーバ２０が認証コードを発行して操作部３に送信する。該認証コードが住宅設備機器１の報知部３ａ，３ｂで報知される。メンテナンス用アプリケーションがインストールされた携帯端末２５で認証コードを入力すると、該認証コードがサーバ２０に送信される。サーバ２０は、携帯端末２５から受信した認証コードが、発行した認証コードに一致する場合に、住宅設備機器１に関する機器情報を携帯端末２５に送信する。【選択図】図１
2019008685.tif 000002
【特許請求の範囲】
【請求項１】
住宅設備機器と外部ネットワークを介して通信可能であり、該住宅設備機器との通信によって、該住宅設備機器の運転履歴情報を含む機器情報を該住宅設備機器から取得して保存する機能を有するように構成されたサーバと、
前記サーバと前記外部ネットワークを介して通信可能であり、該サーバとの通信によって、該サーバから前記機器情報を取得して表示する機能が、あらかじめインストールされたメンテナンス用アプリケーションにより付加された携帯端末とを備えており、
前記住宅設備機器は、該住宅設備機器の操作部での所定の操作が行われたときに、前記サーバにメンテナンス用の認証コードの発行を要求する発行要求情報を送信し、その後、該認証コードを前記サーバから受信したときに、該認証コードを該住宅設備機器の報知部から報知する機能を有するように構成され、
前記携帯端末は、該携帯端末に前記認証コードを入力する操作がなされたときに、該認証コードを前記サーバに送信する機能が前記メンテナンス用アプリケーションにより付加されており、
前記サーバは、前記発行要求情報を受信したときに、該発行要求情報を送信した前記住宅設備機器に対応づけられた認証コードを発行して該住宅設備機器に送信し、その後、当該発行した認証コードに一致する認証コードを前記携帯端末から受信したときに、当該発行した認証コードに対応する前記住宅設備機器の機器情報を該携帯端末に送信する機能を有するように構成されていることを特徴とする住宅設備機器のメンテナンスシステム。
【請求項２】
請求項１記載の住宅設備機器のメンテナンスシステムにおいて、
前記サーバは、前記発行要求情報を受信する都度、該発行要求情報を送信した前記住宅設備機器に対応づけられた認証コードを新規に発行して該住宅設備機器に送信するように構成されていると共に、該認証コードの発行後、所定の有効期間が終了すると、該認証コードを無効にするように構成されていることを特徴とする住宅設備機器のメンテナンスシステム。
【請求項３】
請求項１又は２記載の住宅設備機器のメンテナンスシステムにおいて、
前記住宅設備機器は、複数の機器を含んでおり、
前記サーバが、該住宅設備機器から前記発行要求情報を受信したときに発行する前記認証コードは、該住宅設備機器に含まれる前記複数の機器に対して共通の認証コードであり、
前記サーバは、前記発行した認証コードに一致する認証コードを前記携帯端末から受信したときに、前記住宅設備機器に含まれる複数の機器のうちのいずれかの機器を該携帯端末で選択させる機器選択情報を該携帯端末に送信し、その後、該複数の機器のうちから選択された機器を示す情報を該携帯端末から受信したときに、当該選択された機器のみに関する機器情報を該携帯端末に送信するように構成されていることを特徴とする住宅設備機器のメンテナンスシステム。
【請求項４】
請求項１又は２記載の住宅設備機器のメンテナンスシステムにおいて、
前記住宅設備機器は、複数の機器を含んでおり、該複数の機器のうちのいずれかの機器を選択する操作を含む前記所定の操作が前記操作部で行われたとき、当該選択された機器に対応する認証コードの発行を要求する前記発行要求情報を前記サーバに送信するように構成されており、
前記サーバは、当該選択された機器に対応する認証コードの発行を要求する前記発行要求情報を受信したとき、前記住宅設備機器のうちの当該選択された機器だけに対応づけられた認証コードを発行して該住宅設備機器に送信し、その後、当該発行した認証コードに一致する認証コードを前記携帯端末から受信したときに、前記住宅設備機器のうち、当該発行した認証コードに対応する機器のみに関する機器情報を該携帯端末に送信するように構成されていることを特徴とする住宅設備機器のメンテナンスシステム。
【請求項５】
請求項１又は２記載の住宅設備機器のメンテナンスシステムにおいて、
前記住宅設備機器は、複数の機器を含んでおり、
前記サーバは、該住宅設備機器から前記発行要求情報を受信したとき、該住宅設備機器に含まれる前記複数の機器のそれぞれに対応づけられた複数の認証コードを発行して該住宅設備機器に送信し、その後、当該発行した複数の認証コードのいずれかに一致する認証コードを前記携帯端末から受信したときに、該住宅設備機器のうち、当該一致する認証コードに対応する機器のみに関する機器情報を該携帯端末に送信するように構成されていることを特徴とする住宅設備機器のメンテナンスシステム。
【請求項６】
住宅設備機器と外部ネットワークを介して通信可能であり、該住宅設備機器の運転履歴情報を含む機器情報を該住宅設備機器から取得して保存したサーバと、メンテナンス用のアプリケーションがあらかじめインストールされたメンテナンス業者の携帯端末であって、該アプリケーションを起動した状態で、前記サーバと前記外部ネットワークを介して通信可能な携帯端末とを用いて該住宅設備機器のメンテナンス作業を行う方法であって、
前記住宅設備機器のメンテナンス作業を開始するとき、該住宅設備機器の操作部の所定の操作を行うことによって、該住宅設備機器のメンテナンス用の認証コードの発行を要求する発行要求情報を該住宅設備機器から前記外部ネットワークを介して前記サーバに送信する工程と、
前記サーバが前記住宅設備機器から前記発行要求情報を受信したとき、該サーバが、該住宅設備機器に対応づけられた認証コードを発行し、当該発行した認証コードを該サーバから前記外部ネットワークを介して該住宅設備機器に送信する工程と、
前記住宅設備機器が前記サーバから認証コードを受信したとき、該認証コードを、該住宅設備機器の報知部から報知する工程と、
当該報知後に前記携帯端末に認証コードが入力されたとき、当該入力された認証コードを該携帯端末から前記外部ネットワークを介して前記サーバに送信する工程と、
前記サーバが前記携帯端末から認証コードを受信したとき、当該受信した認証コードが該サーバが発行した認証コードに一致することを必要条件として、該サーバが発行した認証コードに対応する前記住宅設備機器の機器情報を前記サーバから前記外部ネットワークを介して該携帯端末に送信する工程と、
前記携帯端末が前記サーバから受信した前記住宅設備機器の機器情報を該携帯端末で表示する工程とを備えることを特徴とする住宅設備機器のメンテナンス方法。
【発明の詳細な説明】
【技術分野】
【０００１】
本発明は、給湯装置等の住宅設備機器のメンテナンス作業を行うためのシステム及び方法に関する。
【背景技術】
【０００２】
従来、例えば特許文献１に見られるように、給湯器の運転等に関するイベント情報を、給湯器からインターネット等のグローバルネットワークを介して外部サーバに送信して、該外部サーバに蓄積し、該イベント情報を、携帯電話により外部サーバから取得し得るよにしたシステムが知られている。
【０００３】
また、例えば特許文献２に見られるように、種々様々なガス機器の故障診断を専用の故障診断装置を用いて行う技術が知られている。
【先行技術文献】
【特許文献】
【０００４】
【特許文献１】特開２００３−２７９１１８号公報
【特許文献２】特開２００２−１５０４２３号公報
【発明の概要】
【発明が解決しようとする課題】
【０００５】
種々様々な住宅設備機器の点検、修理等のメンテナンスを行う場合、メンテナンスの対象の住宅設備機器の運転履歴等の機器情報を、メンテナンス業者が簡易に取得できることが望まれる。
【０００６】
この場合、前記特許文献２に見られる如き専用の端末装置（故障診断装置）を使用することが考えられる。しかるに、この種の専用の端末装置は、高価なものとなりやすく、また、メンテナンス業者が該端末装置の利用方法を習熟するまでに時間がかかりやすい。ひいては、メンテナンス作業のコスト増、もしくは効率低下を招きやすい。
【０００７】
そこで、メンテナンス業者が自身のスマートフォン等の携帯端末に、メンテナンス用のアプリケーションを適宜、インターネットサーバ等からダウンロードしてインストールしておき、該携帯端末をメンテナンス用の端末装置として利用することが考えられる。
【０００８】
しかるに、この場合、メンテナンス業者でない第３者が、自身の携帯端末に上記アプリケーションをダウンロードしてインストールするだけで、該携帯端末にメンテナンス用の端末装置としての機能が付加されてしまう。
【０００９】
このため、住宅設備機器の情報が、メンテナンス業者でない第３者に漏洩したり、あるいは、該第３者による住宅設備機器の不正操作等が発生する虞がある。
【００１０】
本発明はかかる背景に鑑みてなされたものであり、セキュリティを確保しつつ、住宅設備機器のメンテナンス作業の利便性を高めることを可能とするシステム及び方法を提供することを目的とする。
【課題を解決するための手段】
【００１１】
本発明の住宅設備機器のメンテナンスシステムは、上記の目的を達成するために、住宅設備機器と外部ネットワークを介して通信可能であり、該住宅設備機器との通信によって、該住宅設備機器の運転履歴情報を含む機器情報を該住宅設備機器から取得して保存する機能を有するように構成されたサーバと、
前記サーバと前記外部ネットワークを介して通信可能であり、該サーバとの通信によって、該サーバから前記機器情報を取得して表示する機能が、あらかじめインストールされたメンテナンス用アプリケーションにより付加された携帯端末とを備えており、
前記住宅設備機器は、該住宅設備機器の操作部での所定の操作が行われたときに、前記サーバにメンテナンス用の認証コードの発行を要求する発行要求情報を送信し、その後、該認証コードを前記サーバから受信したときに、該認証コードを該住宅設備機器の報知部から報知する機能を有するように構成され、
前記携帯端末は、該携帯端末に前記認証コードを入力する操作がなされたときに、該認証コードを前記サーバに送信する機能が前記メンテナンス用アプリケーションにより付加されており、
前記サーバは、前記発行要求情報を受信したときに、該発行要求情報を送信した前記住宅設備機器に対応づけられた認証コードを発行して該住宅設備機器に送信し、その後、当該発行した認証コードに一致する認証コードを前記携帯端末から受信したときに、当該発行した認証コードに対応する前記住宅設備機器の機器情報を該携帯端末に送信する機能を有するように構成されていることを特徴とする（第１発明）。
【００１２】
かかる本発明によれば、メンテナンス業者が、前記メンテナンス用アプリケーションがインストールされた携帯端末により、前記住宅設備機器の機器情報を前記サーバから取得する場合には、まず、前記住宅設備機器の操作部の所定の操作を行う。
【００１３】
これに応じて、住宅設備機器から前記発行要求情報が前記サーバに送信され、さらに、該サーバが、該発行要求情報の受信に応じて発行した認証コード（発行要求情報の送信元の住宅設備機器に対応づけられた認証コード）が、該サーバから住宅設備機器に送信されて、該住宅設備機器で受信される。そして、該認証コードが住宅設備機器の報知部から報知される。従って、メンテナンス業者は、メンテナンス対象の住宅設備機器の操作部の所定の操作を行うことで、前記サーバで発行された認証コード（該住宅設備機器に対応づけられた認証コード）を、該住宅設備機器の報知部を介して認識することができる。
【００１４】
次に、メンテナンス業者は、認識した認証コードを、前記メンテナンス用アプリケーションの機能が付加された前記携帯端末に入力する。このとき、当該入力された認証コードが該携帯端末から前記サーバに送信されて、該サーバで受信される。そして、前記携帯端末で入力された認証コードが、前記住宅設備機器に対して発行した認証コード（該住宅設備機器の報知部から報知された認証コード）に一致するという必要条件が成立する場合に限って、該認証コードに対応する住宅設備機器の運転履歴情報等の機器情報が、前記サーバから携帯端末に送信されて、該携帯端末で表示される。
【００１５】
これにより、メンテナンス業者は、メンテナンスの対象の住宅設備機器の運転履歴情報等の機器情報を取得することができる。ひいては、メンテナンス業者は、該機器情報を参照することで、住宅設備機器のメンテナンスを的確に行うことが可能となる。
【００１６】
従って、メンテナンス業者は、メンテナンスの対象の住宅設備機器の操作部の所定の操作を行うことで、サーバにより発行された認証コード（該住宅設備機器に対応づけられた認証コード）を認識し、さらに、該認証コードを、前記メンテナンス用アプリケーションによる機能が付加された携帯端末に入力するという作業を行うことで、メンテナンスの対象の住宅設備機器の運転履歴情報等の機器情報を容易に携帯端末で取得することができる。
【００１７】
また、前記携帯端末で入力された認証コードが、前記サーバが発行した認証コードに一致しない場合は、該携帯端末には、住宅設備機器の機器情報は、前記サーバから送信されないこととなる。このため、前記サーバで発行された認証コードを知らない第３者は、前記メンテナンス用アプリケーションがインストールされた携帯端末を所持していても、住宅設備機器の機器情報を取得することはできない。
【００１８】
さらに、住宅設備機器の機器情報を取得するための認証コードは、該住宅設備機器の操作部の所定の操作が行われた場合に前記サーバにより発行されて、該住宅設備機器の報知部から報知されるものであるので、第３者が該認証コードを容易に取得することは困難である。
【００１９】
よって、本発明のメンテナンスシステムによれば、セキュリティを確保しつつ、住宅設備機器のメンテナンス作業の利便性を高めることが可能となる。
【００２０】
上記第１発明では、前記サーバは、前記発行要求情報を受信する都度、該発行要求情報を送信した前記住宅設備機器に対応づけられた認証コードを新規に発行して該住宅設備機器に送信するように構成されていると共に、該認証コードの発行後、所定の有効期間が終了すると、該認証コードを無効にするように構成されていることが好ましい（第２発明）。
【００２１】
これによれば、住宅設備機器のメンテナンスを行う際に、前記サーバにより発行されてメンテナンス業者が取得した認証コードは、その後、上記有効期間が終了すると、住宅設備機器の機器情報を前記サーバから取得するための認証コードとしての機能をもたないものとなる。このため、該有効期間の終了後に、該認証コードを認識しているメンテナンス業者、あるいは該認証コードをメンテナンス業者から知らされた第３者が、前記メンテナンス用アプリケーションがインストールされた携帯端末で該認証コードを使用しても、住宅設備機器の機器情報が前記サーバから該携帯端末に送信されることはない。
【００２２】
また、住宅設備機器の機器情報を前記サーバから取得するための認証コードは、前記サーバが前記発行要求情報を受信する都度、新規に発行されるので、正規の認証コードを第３者等が予測することは困難なものとなる。
【００２３】
従って、住宅設備機器の機器情報を前記サーバから取得することのセキュリティ性をより一層高めることができる。
【００２４】
なお、有効期間は、種々様々な形態を採用し得る。例えば、該有効期間としては、認証コードの発行後、所定時間が経過するまでの期間、あるいは、該認証コードの発行後、前記サーバが該認証コードに一致する認証コードを携帯端末から受信するまでの期間、あるいは、該認証コードの発行後、前記サーバがメンテナンス作業の終了を示す情報を前記携帯端末から受信するまでの期間等を採用し得る。
【００２５】
上記第１発明又は第２発明では、前記住宅設備機器が、複数の機器を含んでいる場合には、前記サーバが、該住宅設備機器から前記発行要求情報を受信したときに発行する前記認証コードは、該住宅設備機器に含まれる前記複数の機器に対して共通の認証コードであり、前記サーバは、前記発行した認証コードに一致する認証コードを前記携帯端末から受信したときに、前記住宅設備機器に含まれる複数の機器のうちのいずれかの機器を該携帯端末で選択させる機器選択情報を該携帯端末に送信し、その後、該複数の機器のうちから選択された機器を示す情報を該携帯端末から受信したときに、当該選択された機器のみに関する機器情報を該携帯端末に送信するように構成されているという態様を採用し得る（第３発明）。
【００２６】
これによれば、メンテナンス業者は、前記サーバで発行された認証コードを携帯端末に入力した後、該サーバから携帯端末が受信する前記機器選択情報に応じて、前記住宅設備機器に含まれる複数の機器のうちのいずれかの機器を該携帯端末で任意に選択し、当該選択した機器のみに関する機器情報を前記サーバから携帯端末に受信して表示させることができる。このため、メンテナンス業者が、住宅設備機器に含まれる複数の機器のうち、所望の機器に関する機器情報だけを携帯端末により取得することができる。ひいては、メンテナンス作業を効率よく遂行することが可能となる。
【００２７】
また、メンテナンス業者は単一の認証コードを使用して、住宅設備機器に含まれる複数の機器のうちの任意の機器の機器情報を前記サーバから取得できるので、メンテナンス作業の利便性を高めることができる。
【００２８】
さらに、前記携帯端末で前記サーバから取得される機器情報が、メンテナンス業者が携帯端末で選択した機器に関する機器情報であるので、前記複数の機器のそれぞれの機器情報が、互いに類似する内容の情報（同一のエラーコード等）を含んでいても、携帯端末で取得した機器情報が、どの機器に関するものであるかをメンテナンス業者が混同してしまうようなことが発生するのを防止できる。
【００２９】
上記第１発明又は第２発明では、前記住宅設備機器が、複数の機器を含んでいる場合に、該住宅設備機器は、該複数の機器のうちのいずれかの機器を選択する操作を含む前記所定の操作が前記操作部で行われたとき、当該選択された機器に対応する認証コードの発行を要求する前記発行要求情報を前記サーバに送信するように構成されており、前記サーバは、当該選択された機器に対応する認証コードの発行を要求する前記発行要求情報を受信したとき、前記住宅設備機器のうちの当該選択された機器だけに対応づけられた認証コードを発行して該住宅設備機器に送信し、その後、当該発行した認証コードに一致する認証コードを前記携帯端末から受信したときに、前記住宅設備機器のうち、当該発行した認証コードに対応する機器のみに関する機器情報を該携帯端末に送信するように構成されているという態様を採用することもできる（第４発明）。
【００３０】
これによれば、メンテナンス業者は、サーバが発行した認証コードを前記携帯端末に入力することで、前記住宅設備機器に含まれる複数の機器のうちの所望の機器（前記住宅設備機器の操作部の操作により選択した機器）に関する機器情報だけを取得することができる。ひいては、メンテナンス作業を効率よく遂行することが可能となる。
【００３１】
また、前記携帯端末で前記サーバから取得される機器情報が、メンテナンス業者が、前記住宅設備機器の操作部の操作により選択した機器に関する機器情報であるので、前記複数の機器のそれぞれの機器情報が、互いに類似する内容の情報（同一のエラーコード等）を含んでいても、携帯端末で取得した機器情報が、どの機器に関するものであるかをメンテナンス業者が混同してしまうようなことが発生するのを防止できる。
【００３２】
上記第１発明又は第２発明では、前記住宅設備機器が、複数の機器を含んでいる場合に、前記サーバは、該住宅設備機器から前記発行要求情報を受信したとき、該住宅設備機器に含まれる前記複数の機器のそれぞれに対応づけられた複数の認証コードを発行して該住宅設備機器に送信し、その後、当該発行した複数の認証コードのいずれかに一致する認証コードを前記携帯端末から受信したときに、該住宅設備機器のうち、当該一致する認証コードに対応する機器のみに関する機器情報を該携帯端末に送信するように構成されているという態様を採用することもできる（第５発明）。
【００３３】
これによれば、メンテナンス業者は、サーバが発行した複数の認証コードから選択した一つの認証コードを前記携帯端末に入力することで、前記住宅設備機器に含まれる複数の機器のうちの所望の機器（選択した認証コードに対応する機器）に関する機器情報だけを取得することができる。ひいては、メンテナンス作業を効率よく遂行することが可能となる。
【００３４】
また、前記携帯端末で前記サーバから取得される機器情報が、メンテナンス業者が選択した認証コードに対応する機器に関する機器情報であるので、前記複数の機器のそれぞれの機器情報が、互いに類似する内容の情報（同一のエラーコード等）を含んでいても、携帯端末で取得した機器情報が、どの機器に関するものであるかをメンテナンス業者が混同してしまうようなことが発生するのを防止できる。
【００３５】
また、メンテナンス業者は、前記複数の機器のそれぞれに対応する複数の認識コードを一括して取得することができるので、例えば、該複数の認識コードを順番に使用して、前記複数の機器のそれぞれのメンテナンスを順番に行うことを効率よく遂行することが可能となる。
【００３６】
次に、本発明の住宅設備機器のメンテナンス方法は、住宅設備機器と外部ネットワークを介して通信可能であり、該住宅設備機器の運転履歴情報を含む機器情報を該住宅設備機器から取得して保存したサーバと、メンテナンス用のアプリケーションがあらかじめインストールされたメンテナンス業者の携帯端末であって、該アプリケーションを起動した状態で、前記サーバと前記外部ネットワークを介して通信可能な携帯端末とを用いて該住宅設備機器のメンテナンス作業を行う方法であって、
前記住宅設備機器のメンテナンス作業を開始するとき、該住宅設備機器の操作部の所定の操作を行うことによって、該住宅設備機器のメンテナンス用の認証コードの発行を要求する発行要求情報を該住宅設備機器から前記外部ネットワークを介して前記サーバに送信する工程と、
前記サーバが前記住宅設備機器から前記発行要求情報を受信したとき、該サーバが、該住宅設備機器に対応づけられた認証コードを発行し、当該発行した認証コードを該サーバから前記外部ネットワークを介して該住宅設備機器に送信する工程と、
前記住宅設備機器が前記サーバから認証コードを受信したとき、該認証コードを、該住宅設備機器の報知部から報知する工程と、
当該報知後に前記携帯端末に認証コードが入力されたとき、当該入力された認証コードを該携帯端末から前記外部ネットワークを介して前記サーバに送信する工程と、
前記サーバが前記携帯端末から認証コードを受信したとき、当該受信した認証コードが該サーバが発行した認証コードに一致することを必要条件として、該サーバが発行した認証コードに対応する前記住宅設備機器の機器情報を前記サーバから前記外部ネットワークを介して該携帯端末に送信する工程と、
前記携帯端末が前記サーバから受信した前記住宅設備機器の機器情報を該携帯端末で表示する工程とを備えることを特徴とする（第６発明）。
【００３７】
これによれば、第１発明と同様に、メンテナンス業者は、メンテナンスの対象の住宅設備機器の運転履歴情報等の機器情報を容易に携帯端末で取得することができる。
【００３８】
また、第１発明と同様に、前記サーバで発行された認証コードを知らない第３者は、前記メンテナンス用アプリケーションがインストールされた携帯端末を所持していても、住宅設備機器の機器情報を取得することはできないと共に、該住宅設備機器の機器情報を取得するための認証コードを容易に取得することは困難である。
【００３９】
よって、本発明のメンテナンス方法によれば、第１発明と同様に、セキュリティを確保しつつ、住宅設備機器のメンテナンス作業の利便性を高めることが可能となる。
【００４０】
なお、本発明のメンテナンス方法は、前記第２〜第５発明と同様の態様を採用することもできる。
【図面の簡単な説明】
【００４１】
【図１】本発明の一実施形態を適用するシステムの構成を示す図。
【発明を実施するための形態】
【００４２】
［第１実施形態］
本発明の第１実施形態を図１を参照して以下に説明する。図１に示すように、本実施形態のメンテナンスシステムでメンテナンスの対象とする住宅設備機器１は、例えば住戸Ｈに配置された複数（例えば３つ）の機器１Ａ，１Ｂ，１Ｃを含む。図示例では、機器１Ａは給湯装置、機器１Ｂは加熱調理器の一例としてのコンロ装置、機器１Ｃは温風暖房器である。
【００４３】
給湯装置１Ａは、例えばガス給湯装置であり、図示を省略するバーナ（燃焼式加熱源）及び熱交換器等が搭載された熱源機２と、給湯装置１Ａの運転操作用のリモコン３とを備える。なお、本実施形態では、リモコン３が本発明における操作部及び報知部としての機能を持つ。
【００４４】
この給湯装置１Ａは、熱源機２に供給される水道水等の水を該熱源機２で加熱してなる湯を台所、浴室等の給湯箇所に供給する給湯運転、熱源機２に供給される水道水等の水を該熱源機２で加熱してなる湯を浴槽ＢＴに供給する湯はり運転もしくは足し湯運転、浴槽ＢＴ内の湯水を熱源機２との間で循環させつつ、該熱源機２で加熱する追い焚き運転などをリモコン３の操作に応じて実行することが可能である。
【００４５】
熱源機２には、給湯装置１Ａの運転制御と異常発生の有無等の状態監視とを行う機能を有する制御装置４が搭載されている。該制御装置４は、ＣＰＵ、メモリ、インターフェース回路、通信機等を含む電子回路ユニットにより構成される。
【００４６】
リモコン３は、例えば台所等に設置されるリモコンである。該リモコン３は、上記制御装置４と有線通信又は無線通信を行い得るように構成されており、リモコン３の操作情報（給湯装置１Ａの運転指令、給湯温度もしくは湯はり温度の設定情報等）を制御装置４に送信したり、給湯装置１Ａの運転状態を示す情報を制御装置４から受信することが可能である。そして、リモコン３は、各種情報を報知する報知部として、表示部３ａ及び発音部３ｂを備える。
【００４７】
なお、図１では台所等に設置される主たるリモコン３だけを代表的に図示しているが、給湯装置１Ａは、リモコン３以外の他のリモコン（浴室リモコン等）も含み得る。
【００４８】
補足すると、給湯装置１Ａには、熱源機２との間で温水を循環させ得る床暖房装置もしくは浴室暖房装置等が付加されていてもよい。また、熱源機２は、バーナの代わりに、もしくはバーナに加えて、電気式の加熱源を備えるものであってもよい。また、熱源機２のバーナは、ガスバーナに限らず、灯油等の液体燃料を燃焼させるバーナであってもよい。
【００４９】
コンロ装置１Ｂは、例えばガスコンロであり、複数（図示例では３つ）のコンロバーナ１０と、図示を省略するグリルバーナと、各バーナの点火及び消火、並びに火力調整を行うための操作部１１とを備える。また、コンロ装置１Ｂには、該コンロ装置１Ｂの運転制御と異常発生の有無等の状態監視とを行う機能を有する制御装置１２が搭載されている。
【００５０】
なお、コンロ装置１Ｂは、バーナの代わりに、もしくはバーナに加えて、ＩＨヒータ等の電気式熱源を備えるものであってもよい。
【００５１】
温風暖房器１Ｃは、例えばガスファンヒータであり、その筐体内に図示を省略するバーナ及び送風機が搭載され、該筐体の上面に温風暖房器１Ｃの運転操作部（図示省略）が備えられている。さらに、温風暖房器１Ｃの筐体内には、該温風暖房器１Ｃの運転制御や、状態監視等を行う制御装置１５が搭載されている。
【００５２】
また、本実施形態では、給湯装置１Ａのリモコン３は、住戸Ｈにおける住宅設備機器１用のローカルエリアネットワークのアクセスポインとしての機能と、インターネット、公衆通信網等により構成される広域ネットワークである外部ネットワークＮＷ側との通信を行う対外通信部としての機能とを有し、外部ネットワークＮＷに接続可能に住戸Ｈに設置されたルータ７と、Wi-Fi（登録商標）もしくはBluetooth（登録商標）等の通信方式で無線通信を行い得るように構成されている。これにより、リモコン３は、ルータ７を介して外部ネットワークＮＷ側と通信を行うことが可能となっている。
【００５３】
そして、コンロ装置１Ｂの制御装置１２及び温風暖房器１Ｃの制御装置１５のそれぞれは、アクセスポイントとしてのリモコン３と有線通信又は無線通信を行い得るように構成されており、その通信によって、コンロ装置１Ｂ及び温風暖房器１Ｃのそれぞれの運転情報等をリモコン３に適宜送信することが可能である。
【００５４】
なお、リモコン３は、ＬＡＮケーブル等を介してルータ７と有線通信を行い得るように構成されていてもよい。また、リモコン３は、ルータとしての機能を併せもつように構成されていてもよい。この場合には、ルータ７は不要である。また、ルータ７と外部ネットワークＮＷとの間の通信は、無線通信及び有線通信のいずれでもよい。
【００５５】
補足すると、本実施形態のメンテナンスシステムでメンテナンスの対象とする住宅設備機器は、上記の如き構成の住宅設備機器１に限られない。例えば、住宅設備機器は、対外通信部としての機能を有する単一の機器（例えば給湯装置１Ａ）だけにより構成されるものであってもよい。また、住宅設備機器は、例えば冷房機能を有する空調システムであってもよい。また、住宅設備機器は、例えば対外通信部としての機能を有する複数の機器を含み、それらの複数の機器がハブ等を介してルータ７に接続されていてもよい。
【００５６】
本実施形態のメンテナンスシステムは、図１に示す住戸Ｈの住宅設備機器１を含む複数の住戸の住宅設備機器の作動等に関する機器情報を保存・管理する機能を有する機器データ管理サーバ２０と、図１に示す住戸Ｈの住宅設備機器１を含む複数の住戸の住宅設備機器のメンテナンスを行うメンテナンス業者が所持するスマートフォン、タブレット端末、フィーチャーフォン等の携帯端末２５とを含む。これらの機器データ管理サーバ２０及び携帯端末２５は、外部ネットワークＮＷに通信接続することが可能である。
【００５７】
機器データ管理サーバ２０は、例えば住宅設備機器１のメーカ、もしくはサービス事業者等により運営されるサーバであり、本発明におけるサーバに相当する。この機器データ管理サーバ２０は、各住戸の住宅設備機器の対外通信部（住宅設備機器１ではリモコン３）と外部ネットワークＮＷを介して通信を行うことで、各住戸毎に、住宅設備機器の作動等に関する機器情報（例えば、各住戸の各住宅設備機器で実行された運転、あるいは、各住戸の各住宅設備機器で発生した異常もしくは故障の内容を時系列的に示す運転履歴情報等）を取得して保存することが可能である。
【００５８】
メンテナンス業者が所持する携帯端末２５は、機器データ管理サーバ２０との通信を行うことを可能とするメンテナンス用アプリケーションがあらかじめインストールされている。該メンテナンス用アプリケーションは、機器データ管理サーバ２０の運営業者等により外部ネットワークＮＷ上のサーバ（機器データ管理サーバ２０又は他のサーバ）で公開されたアプリーケションであり、メンテナンス業者が自身の携帯端末２５に随時、ダウンロードしてインストールすることが可能である。
【００５９】
次に、各住戸の住宅設備機器の運転履歴情報等の機器情報を機器データ管理サーバ２０で収集する処理に関して説明する。
【００６０】
機器データ管理サーバ２０には、各住戸毎の住宅設備機器の代表識別コードと、各住戸の住宅設備機器を構成する各機器の機種情報とがあらかじめ登録される。例えば図１に示す住戸Ｈの住宅設備機器１に関しては、機器データ管理サーバ２０には、給湯装置１Ａの熱源機２もしくはリモコン３の製造番号、あるいは、これらの製造番号の合成データ等、該給湯装置１Ａに固有のデータが、住戸Ｈの住宅設備機器１の代表識別コードとし登録されると共に、給湯装置１Ａ、コンロ装置１Ｂ及び温風暖房器１Ｃのそれぞれの機種情報が代表識別コードに対応づけて登録される。これらの登録は、例えば、各住戸の住宅設備機器の対外通信部と機器データ管理サーバ２０との初回の通信接続時等に行われる。
【００６１】
なお、各住戸毎の住宅設備機器の代表識別コードは、上記の態様に限られない。例えば、給湯装置１Ａ以外の他の機器（コンロ装置１Ｂ、温風暖房器１Ｃ等）に固有のデータを代表識別コードとして使用することも可能である。あるいは、例えば、各住戸の住所、電話番号等を所定の規則で加工してなるコード等を代表識別コードとして使用することも可能である。
【００６２】
上記の登録がなされた後、各住戸の住宅設備機器の対外通信部から、定期的に、あるいは、該住宅設備機器の異常発生等の所定のイベントの発生毎に、各住戸の住宅設備機器を構成する各機器の運転履歴情報を含む機器情報が外部ネットワークＮＷを介して機器データ管理サーバ２０に送信される。
【００６３】
そして、機器データ管理サーバ２０は、各住戸の住宅設備機器の対外通信部から受信した機器情報を、該住戸の住宅設備機器の代表識別コードと、該機器情報が対応する住宅設備機器の機種とに対応づけて時系列的に保存する。
【００６４】
例えば図１に示す住戸Ｈの住宅設備機器１に関しては、対外通信部としてのリモコン３は、定期的に、前記制御装置４，１２，１５のそれぞれから、給湯装置１Ａ、コンロ装置１Ｂ及び温風暖房器１Ｃのそれぞれの運転履歴情報等の機器情報を取得し、これらの機器情報をルータ７及び外部ネットワークＮＷを介して機器データ管理サーバ２０に送信する。
【００６５】
あるいは、リモコン３は、給湯装置１Ａ、コンロ装置１Ｂ及び温風暖房器１Ｃのいずれかの機器で異常もしくは故障等の所定のイベントの発生した場合に、該機器で発生したイベントの種別を示す情報（エラーコード等）や、該イベントの発生時もしくはその近辺の時間帯における該機器の運転状態を示す情報を含む機器情報を該機器に対応する制御装置４又は１２又は１５から取得し、該機器情報をルータ７及び外部ネットワークＮＷを介して機器データ管理サーバ２０に送信する。
【００６６】
そして、機器データ管理サーバ２０は、住戸Ｈのリモコン３から受信した機器情報を、該住戸Ｈの住宅設備機器１の代表識別コードと、該機器情報が対応する機器（給湯装置１Ａ又はコンロ装置１Ｂ又は温風暖房器１Ｃ）の機種とに対応づけて時系列的に保存する。
【００６７】
なお、各住戸の住宅設備機器の対外通信部から機器データ管理サーバ２０への機器情報の送信は、例えば、機器データ管理サーバ２０から各住戸の住宅設備機器の対外通信部に対する要求に応じて行ったり、あるいは、各住戸の住宅設備機器での所定の操作に応じて行うようにしてもよい。また、各住戸の住宅設備機器の対外通信部から機器データ管理サーバ２０への機器情報の送信は、暗号化通信により行うようにしてもよい。
【００６８】
次に、メンテナンス業者が、いずれかの住戸の住宅設備機器のメンテナンス（点検、修理等）を行う場合の処理を説明する。この場合、メンテナンスの対象の住宅設備機器が、図１に示す住戸Ｈの住宅設備機器１（給湯装置１Ａ、コンロ装置１Ｂ及び温風暖房器１Ｃのうちの一つ以上の機器）である場合を代表例として以下に説明する。
【００６９】
メンテナンス業者が、住戸Ｈの住宅設備機器１のメンテナンスを行う場合、該メンテナンス業者は、メンテナンス用アプリケーションを事前にインストールした自身の携帯端末２５により、機器データ管理サーバ２０にアクセスし、該機器データ管理サーバ２０からメンテナンスの対象の住宅設備機器１の機器情報（運転履歴情報等）を取得する。この場合、機器データ管理サーバ２０へのアクセスは、次のように実行される。
【００７０】
（ステップ１）
メンテナンス業者は、まず、住宅設備機器１の対外通信部としてのリモコン３がルータ７を介して外部ネットワークＮＷ側と通信を行い得る状態で、該リモコン３の所定の操作を行うことで、メンテナンス作業用のリモコン３の動作モードであるメンテナンスモードを起動する。
【００７１】
このとき、該メンテナンスモードが起動したリモコン３は、機器データ管理サーバ２０にメンテナンス用の認証コードを発行させるための所定のパスワードを入力すべき旨を、表示部３ａによる表示（又は発音部３ｂからの音声報知）によって、メンテナンス業者に要求する。
【００７２】
ここで、上記認証コードは、メンテナンス業者が、機器データ管理サーバ２０に保存された住宅設備機器１に関する機器情報を取得するために必要な認証コードである。また、上記パスワードは、機器データ監視サーバ２０の運営業者等からメンテナンス業者に、事前に通知されたメンテナンス業者専用のパスワードであり、機器データ管理サーバ２０に登録されている。なお、上記パスワードは適宜、更新され得る。また、上記パスワードは、本発明における発行要求情報に相当する。
【００７３】
（ステップ２）
次に、メンテナンス業者が、上記の要求に応じて、リモコン３に対して所定のパスワードを入力すると、リモコン３は、入力されたパスワード（発行要求情報）を、住戸Ｈの住宅設備機器１の代表識別コードと共に、外部ネットワークＮＷを介して機器データ管理サーバ２０に送信する。この場合、機器データ管理サーバ２０のアドレスは、例えば、リモコン３あるいは熱源機２の制御装置４のメモリにあらかじめ保存されている。
【００７４】
（ステップ３）
リモコン３から送信されたパスワート゛及び代表識別コードは、機器データ管理サーバ２０で受信される。このとき、機器データ管理サーバ２０は、受信したパスワードが、メンテナンス業者に事前に通知した所定のパスワード（機器データ管理サーバ２０に登録されたパスワード）に一致するか否かを確認する。そして、機器データ管理サーバ２０は、受信したパスワードが所定のパスワードに一致する場合には、リモコン３でのパスワードの入力が正規のメンテナンス業者により実行されたとみなし得るため、上記認証コードを発行し、該認証コードを外部ネットワークＮＷを介してリモコン３に送信する。
【００７５】
なお、機器データ管理サーバ２０が発行する認証コードは、該認証コードの発行の要求の都度（上記パスワードの受信の都度）、該機器データ管理サーバ２０が、パスワードと共に受信した代表識別コードに対応づけて、新規に生成するワンタイムの認証コードである。
【００７６】
また、機器データ管理サーバ２０は、リモコン３から受信したパスワードが、機器データ管理サーバ２０に登録された前記所定のパスワードに一致しない場合には、リモコン３で入力されたパスワードが間違っている旨を該リモコン３に送信し、該リモコン３との通信接続を遮断する。
【００７７】
（ステップ４）
機器データ管理サーバ２０から認証コードがリモコン３に送信された場合、該認証コードは、該リモコン３で受信される。このとき、該リモコン３は、受信した認証コードを、該リモコン３の表示部３ａに表示する（又は発音部３ｂから音声報知を行う）。この報知により、メンテナンス業者は、該認証コードを認識する。
【００７８】
（ステップ５）
次に、メンテンナンス業者は、自身の携帯端末２５にインストール済のメンテナンス用アプリケーションを起動した状態で、リモコン３から報知された認証コードを該携帯端末２５に対して入力する。
【００７９】
なお、メンテナンス用アプリケーションを起動した直後の状態では、機器データ管理サーバ２０により発行された認証コードを携帯端末２５に入力すべき旨の初期表示が該携帯端末２５で行われる。
【００８０】
（ステップ６）
メンテナンス業者により認証コードが入力された携帯端末２５は、実行中のメンテナンス用アプリケーションの機能によって、該認証コードが入力された日時を示す日時情報（以降、認証コード入力日時情報）と共に、該認証コードを、外部ネットワークＮＷを介して機器データ管理サーバ２０に送信することを実行する。この場合、機器データ管理サーバ２０のアドレスは、メンテナンス用アプリケーションのインストール時に、携帯端末２５のメモリにあらかじめ保存されている。
【００８１】
（ステップ７）
携帯端末２５から送信された認証コード及び認証コード入力日時情報は、機器データ管理サーバ２０で受信される。このとき、該機器データ管理サーバ２０は、受信した認証コードを、前記ステップ３で発行した認証コードと照合し、当該両方の認証コードが一致するか否かを判断する。そして、当該両方の認証コードが一致しない場合には、機器データ管理サーバ２０は、携帯端末２５で入力された認証コードが間違っている旨を該携帯端末２５に送信し、該携帯端末２５との通信接続を遮断する。
【００８２】
一方、当該両方の認証コードが一致する場合には、機器データ管理サーバ２０は、該認証コードの送信元の携帯端末２５が正規のメンテナンス業者のものであるとみなして、該携帯端末２５が、前記ステップ２で受信した代表識別コードに対応する住戸Ｈの住宅設備機器１に関する機器情報を取得することを許可する。これにより、機器データ管理サーバ２０は、携帯端末２５からの要求に応じて、住戸Ｈの住宅設備機器１に関する機器情報を該携帯端末２５に送信可能な状態（以降、機器情報送信許可状態という）となる。
【００８３】
なお、本実施形態では、機器データ管理サーバ２０は、前記ステップ３で発行した認証コードの有効期間を設定し、該有効期間の終了後に、携帯端末２５又は他の携帯端末から該認証コードを受信した場合には、該認証コードを無効として、前記機器情報送信許可状態にならない。
【００８４】
ここで、上記有効期間としては、例えば、ステップ３での認証コードの発行後、所定の上限時間が経過するまでの期間、又は、該上限時間が経過する前に、所定のイベントが発生するまでの期間等を採用し得る。この場合、当該所定のイベントとしては、例えば、携帯端末２５で入力された認証コード（ステップ３で発行した認証コードに一致する認証コード）を機器データ管理サーバ２０で受信するというイベント、あるいは、メンテナンス業者が、作業の終了時に、携帯端末２５の所定の操作を行うことで該携帯端末２５から送信される作業終了情報を機器データ管理サーバ２０で受信するというイベント等を採用し得る。
【００８５】
（ステップ８）
前記機器情報送信許可状態の開始当初（開始時又はその直後）において、機器データ管理サーバ２０は、住戸Ｈの住宅設備機器１（給湯装置１Ａ、コンロ装置１Ｂ及び温風暖房器１Ｃ）のリストを外部ネットワークＮＷを介して携帯端末２５に送信する。このとき、該携帯端末２５では、受信したリストが表示される。
【００８６】
さらに、機器データ管理サーバ２０は、前記ステップ６で携帯端末２５から受信した認証コード入力日時情報を、前記ステップ２で受信した代表識別コードに対応する住戸Ｈの住宅設備機器１のリモコン３（対外通信部）に送信する。このとき、該リモコン３は、受信した認証コード入力日時情報を該リモコン３のメモリに保存し、あるいは、該認証コード入力日時情報を制御装置４に転送して、該制御装置４のメモリに保存させる。
【００８７】
（ステップ９）
次に、メンテナンス業者は、携帯端末２５を操作することで、該携帯端末２５で表示されている前記リストから機器情報の取得対象の住宅設備機器１（給湯装置１Ａ、コンロ装置１Ｂ及び温風暖房器１Ｃのうちの一つ以上の機器）を選択する。このとき、選択された機器に関する機器情報の送信要求が携帯端末２５から外部ネットワークＮＷを介して機器データ管理サーバ２０に送信される。
【００８８】
（ステップ１０）
住宅設備機器１のうちの選択された機器（給湯装置１Ａ、コンロ装置１Ｂ及び温風暖房器１Ｃのうちの一つ以上の機器）に関する機器情報の送信要求は、機器データ管理サーバ２０で受信される。このとき、機器データ管理サーバ２０は、当該送信要求に対応する機器の運転履歴情報等の機器情報を、外部ネットワークＮＷを介して携帯端末２５に送信する。
【００８９】
なお、前記ステップ９では、メンテナンス業者が、機器情報の取得対象の住宅設備機器１を選択することに加えて、取得対象の機器情報の項目もしくは種別を選択し得るようにして、該項目もしくは種別に対応する機器情報の送信要求を携帯端末２５から機器データ管理サーバ２０に送信するようにしてもよい。そして、ステップ１０では、選択された住宅設備機器１に関する機器情報のうち、選択された項目もしくは種別に対応する機器情報だけを機器データ管理サーバ２０から携帯端末２５に送信するようにしてもよい。
【００９０】
（ステップ１１）
機器データ管理サーバ２０から送信された住宅設備機器１の機器情報は、携帯端末２５で受信される。このとき、携帯端末２５では、受信した機器情報が表示される。これにより、メンテナンス業者は、住戸Ｈの住宅設備機器１に関する所要の機器情報を認識することができる。例えば、メンテナンス業者は、住宅設備機器１（給湯装置１Ａ、コンロ装置１Ｂ及び温風暖房器１Ｃ）のうち、携帯端末２５で選択した機器において、過去にどのような異常もしくは故障が発生したか、該機器のどのような運転が行われているか等の運転履歴情報を確認することができる。
【００９１】
これにより、メンテナンス業者は、住宅設備機器１（給湯装置１Ａ、コンロ装置１Ｂ及び温風暖房器１Ｃ）のうちの選択した機器に関して、的確なメンテナンスを遂行できる。
【００９２】
以上説明したメンテナンス作業に関する処理は、住戸Ｈの住宅設備機器１以外の他の住戸の住宅設備機器のメンテナンス作業においても同様である。なお、メンテナンス作業における機器データ管理サーバ２０と、携帯端末２５との間の通信は、暗号化通信により行うようにしてもよい。
【００９３】
以上説明した実施形態によれば、メンテナンス業者が、メンテナンス用アプリケーションをインストールした自身の携帯端末２５に、機器データ管理サーバ２０が発行してメンテンナンスの対象の住宅設備機器の対外通信部（住宅設備機器１ではリモコン３）に送信した認証コードを入力することを必要条件として、該メンテナンス業者が、メンテンナンスの対象の住宅設備機器に関する機器情報を、自身の携帯端末２５で機器データ管理サーバ２０から取得することが可能となる。
【００９４】
このため、メンテナンス業者でない第３者が、自身の携帯端末にメンテナンス用アプリケーションをダウンロードしてインストールしても、該メンテナンス用アプリケーションを利用して、ある住戸の住宅設備機器の機器情報を取得することは極めて困難である。
【００９５】
そして、メンテナンス業者は、自身の携帯端末２５でのメンテナンス用アプリケーションの起動後に、正規の認証コードを入力すれば、以後は、メンテナンス対象の住宅設備機器の必要な機器情報を該携帯端末２５で容易に取得して確認することができる。
【００９６】
このため、セキュリティを確保しつつ、住宅設備機器のメンテナンス作業の利便性を高めることができる。
【００９７】
また、メンテナンス業者は、住宅設備機器のうちのどの機器の機器情報を機器データ管理サーバ２０から取得するかを、携帯端末２５で選択することができるので、必要な機器情報だけを機器データ管理サーバ２０から取得できる。この場合、各住戸の住宅設備機器を構成する複数の機器のそれぞれに関する機器情報が、例えば、同種のもしくは類似する名称のエラーコードを使用している場合であっても、メンテナンス業者が、携帯端末２５で表示される機器情報が、どの機器に対応するものであるかを混同してしまうことを防止できる。
【００９８】
また、機器データ管理サーバ２０が発行する認証コードは、その発行の都度、新規に発行されるワンタイムの認証コードであると共に、有効期間が設定されているので、メンテナンス業者が過去に発行された認証コードを覚えていたり、あるいは、該認証コードが第３者に漏洩しても、該メンテナンス業者もしくは第３者が、メンテナンス作業外で、過去に発行された認証コードを使用して、機器データ管理サーバ２０から住宅設備機器の機器情報を不正に取得するのを防止することができる。
【００９９】
［第２実施形態］
次に、本発明の第２実施形態を説明する。なお、本実施形態の説明では、第１実施形態と同一の事項については説明を省略する。
【０１００】
本実施形態では、メンテナンス作業時の一部の処理が第１実施形態と相違する。具体的には、ステップ１では、メンテナンス業者がリモコン３のメンテナンスモードを起動すると、リモコン３は、機器データ管理サーバ２０にメンテナンス用の認証コードを発行させるための所定のパスワード（認証コードの発行要求情報）を入力すべき旨と、住宅設備機器１のうち、メンテナンスの対象とする機器（給湯装置１Ａ又はコンロ装置１Ｂ又は温風暖房器１Ｃ）を選択すべき旨と、表示部３ａによる表示（又は発音部３ｂからの音声報知）によって、メンテナンス業者に要求する。
【０１０１】
次のステップ２では、メンテナンス業者は、リモコン３の所定の操作を行うことで、所定のパスワードと、メンテナンスの対象として選択した機器を示す情報（以降、機器選択情報という）とをリモコン３に入力する。このとき、リモコン３は、入力されたパスワード（発行要求情報）と機器選択情報とを、住戸Ｈの住宅設備機器１の代表識別コードと共に、外部ネットワークＮＷを介して機器データ管理サーバ２０に送信する。
【０１０２】
次のステップ３では、機器データ管理サーバ２０は、リモコン３から送信されたパスワート゛、機器選択情報及び代表識別コードを受信する。このとき、機器データ管理サーバ２０は、第１実施形態と同様に、受信したパスワードが、メンテナンス業者に事前に通知した所定のパスワードに一致するか否かを確認し、一致する場合には、認証コードを発行して、リモコン３に送信する。
【０１０３】
ただし、本実施形態では、機器データ管理サーバ２０がステップ３で発行する認証コードは、住宅設備機器１のうち、受信した機器選択情報により指定された機器（給湯装置１Ａ又はコンロ装置１Ｂ又は温風暖房器１Ｃ）に関する機器情報だけを取得することを有効とするための認証コードである。
【０１０４】
なお、機器データ管理サーバ２０が発行する認証コードは、第１実施形態と同様に、有効期限が設定されたワンタイムの認証コードである。また、リモコン３から受信したパスワードが、前記所定のパスワードに一致しない場合の処理は、第１実施形態と同じである。
【０１０５】
次に、ステップ４〜６の処理が第１実施形態と同様に行われる。次に、前記ステップ７〜１１の処理の代わりに、以下に説明するステップ７ａ，８ａの処理が行われる。
【０１０６】
（ステップ７ａ）
ステップ６で携帯端末２５から送信された認証コード及び認証コード入力日時情報は、機器データ管理サーバ２０で受信される。このとき、該機器データ管理サーバ２０は、受信した認証コードを、ステップ３で発行した認証コード（機器選択情報により指定された機器に対応する認証コード）と照合し、当該両方の認証コードが一致するか否かを判断する。
【０１０７】
そして、当該両方の認証コードが一致する場合には、機器データ管理サーバ２０は、住宅設備機器１のうち、ステップ３で受信した機器選択情報により指定された機器（給湯装置１Ａ又はコンロ装置１Ｂ又は温風暖房器１Ｃ）に関する機器情報（運転履歴情報等）を外部ネットワークＮＷを介して携帯端末２５に送信する。
【０１０８】
なお、この場合、機器選択情報により指定された機器の機器情報の項目もしくは種別を、メンテナンス業者が携帯端末２５で選択して、機器データ管理サーバ２０に送信し得るようにして、機器選択情報により指定された機器の機器情報のうち、選択された項目もしくは種別に対応する機器情報だけを機器データ管理サーバ２０から携帯端末２５に送信するようにしてもよい。
【０１０９】
また、上記照合において、当該両方の認証コードが一致しない場合には、機器データ管理サーバ２０は、携帯端末２５で入力された認証コードが間違っている旨を該携帯端末２５に送信し、該携帯端末２５との通信接続を遮断する。
【０１１０】
（ステップ８ａ）
機器データ管理サーバ２０から送信された機器情報（機器選択情報により指定された機器に関する機器情報）は、携帯端末２５で受信される。このとき、携帯端末２５では、受信した機器情報が表示される。これにより、メンテナンス業者は、住戸Ｈの住宅設備機器１のうち、機器選択情報で指定した機器（給湯装置１Ａ又はコンロ装置１Ｂ又は温風暖房器１Ｃ）に関する機器情報（運転履歴情報等）を認識することができる。
【０１１１】
なお、本実施形態では、メンテナンス業者は、住宅設備機器１のうちの一つの機器についてメンテナンス作業を行った後、他の機器に住宅設備機器１のうちの他の機器についてメンテナンス作業を行う場合には、ステップ１からの処理を改めて実行する。
【０１１２】
本実施形態は、以上説明した事項以外は、第１実施形態と同じである。また、本実施形態において、以上説明したメンテナンス作業に関する処理は、住戸Ｈの住宅設備機器１以外の他の住の住宅設備機器のメンテナンス作業においても同様である。
【０１１３】
かかる本実施形態でも第１実施形態と同様に、セキュリティを確保しつつ、住宅設備機器のメンテナンス作業の利便性を高めることができる。
【０１１４】
また、メンテナンス業者は、各住戸の住宅設備機器のうち、機器選択情報により指定した一つの機器に関する機器情報だけを、機器データ管理サーバ２０から携帯端末２５に取得することができる。このため、各住戸の住宅設備機器を構成する複数の機器のそれぞれに関する機器情報が、例えば、同じ名称のエラーコードを使用している場合であっても、メンテナンス業者が、携帯端末２５で表示される機器情報が、どの機器に対応するものであるかを混同してしまうことを防止できる。
【０１１５】
また、機器データ管理サーバ２０が発行する認証コードは、その発行の都度、新規に発行されるものであると共に、有効期間が設定されているので、第１実施形態と同様に、メンテナンス業者もしくは第３者が、メンテナンス作業外で、過去に発行された認証コードを使用して、機器データ管理サーバ２０から住宅設備機器の機器情報を不正に取得するのを防止することができる。
【０１１６】
［第３実施形態］
次に、本発明の第３実施形態を説明する。なお、本実施形態の説明では、第１実施形態と同一の事項については説明を省略する。
【０１１７】
本実施形態では、メンテナンス作業時の一部の処理が第１実施形態又は第２実施形態と相違する。具体的には、ステップ１及びステップ２の処理が第１実施形態と同様に行われる。
【０１１８】
次のステップ３では、機器データ管理サーバ２０は、リモコン３から送信されたパスワート゛及び代表識別コードを受信する。このとき、機器データ管理サーバ２０は、第１実施形態と同様に、受信したパスワードが、メンテナンス業者に事前に通知した所定のパスワードに一致するか否かを確認し、一致する場合には、認証コードを発行して、リモコン３に送信する。
【０１１９】
ただし、本実施形態では、ステップ３において、機器データ管理サーバ２０は、住宅設備機器１に含まれる複数の機器（給湯装置１Ａ、コンロ装置１Ｂ及び温風暖房器１Ｃ）のそれぞれ毎に各別の認証コードを一括して発行し、これらの複数の認証コードを、それぞれに対応する機器を示す情報と共に、住宅設備機器１のリモコン３（対外通信部）に送信する。この場合、各認証コードは、それに対応する機器（給湯装置１Ａ又はコンロ装置１Ｂ又は温風暖房器１Ｃ）に関する機器情報だけを取得することを有効とするための認証コードである。
【０１２０】
なお、機器データ管理サーバ２０が発行する各機器毎の認証コードは、第１実施形態と同様に、有効期限が設定されたワンタイムの認証コードである。また、リモコン３から受信したパスワードが、前記所定のパスワードに一致しない場合の処理は、第１実施形態と同じである。
【０１２１】
次のステップ４では、機器データ管理サーバ２０から複数の認証コードを受信したリモコン３（対外通信部）は、受信した複数の認証コードを、それぞれに対応する機器を示す情報と共に、該リモコン３の表示部３ａに表示する（又は発音部３ｂから音声報知を行う）ことで、該複数の認証コードを、それぞれに対応する機器を示す情報と共にメンテナンス業者に報知する。
【０１２２】
次のステップ５では、メンテンナンス業者は、自身の携帯端末２５にインストール済のメンテナンス用アプリケーションを起動した状態で、リモコン３から報知された複数の認証コードのうち、メンテナンスの対象とする一つの機器（給湯装置１Ａ又はコンロ装置１Ｂ又は温風暖房器１Ｃ）に対応する一つの認証コードを選択し、該認証コードを該携帯端末２５に対して入力する。
【０１２３】
次に、ステップ６の処理が第１実施形態と同様に行われた後、前記ステップ７〜１１の処理の代わりに、以下に説明するステップ７ｂ，８ｂの処理が行われる。
【０１２４】
（ステップ７ｂ）
ステップ６で携帯端末２５から送信された認証コード及び認証コード入力日時情報は、機器データ管理サーバ２０で受信される。このとき、該機器データ管理サーバ２０は、受信した認証コードを、ステップ３で発行した複数の認証コードと照合し、受信した認証コードが、ステップ３で発行した複数の認証コードのうちのいずれかに一致するか否かを判断する。
【０１２５】
そして、受信した認証コードが、ステップ３で発行した複数の認証コードのうちのいずれかに一致する場合には、機器データ管理サーバ２０は、住宅設備機器１のうち、受信した認証コードに対応する機器（給湯装置１Ａ又はコンロ装置１Ｂ又は温風暖房器１Ｃ）に関する機器情報（運転履歴情報等）を外部ネットワークＮＷを介して携帯端末２５に送信する。
【０１２６】
なお、この場合、機器データ管理サーバ２０が受信した認証コード（携帯端末２５で入力された認証コード）に対応する機器の機器情報の項目もしくは種別を、メンテナンス業者が携帯端末２５で選択して、機器データ管理サーバ２０に送信し得るようにして、携帯端末２５で入力された認証コードに対応する機器の機器情報のうち、選択された項目もしくは種別に対応する機器情報だけを機器データ管理サーバ２０から携帯端末２５に送信するようにしてもよい。
【０１２７】
また、機器データ管理サーバ２０は、受信した認証コードが、ステップ３で発行した複数の認証コードのうちのいずれにも一致しない場合には、携帯端末２５で入力された認証コードが間違っている旨を該携帯端末２５に送信し、該携帯端末２５との通信接続を遮断する。
【０１２８】
（ステップ８ｂ）
機器データ管理サーバ２０から送信された機器情報（ステップ５で携帯端末２５に入力された認証コードに対応する機器に関する機器情報）は、携帯端末２５で受信される。このとき、携帯端末２５では、受信した機器情報が表示される。これにより、メンテナンス業者は、住戸Ｈの住宅設備機器１のうち、ステップ５で選択した認証コードに対応する機器（給湯装置１Ａ又はコンロ装置１Ｂ又は温風暖房器１Ｃ）に関する機器情報（運転履歴情報等）を認識することができる。
【０１２９】
なお、本実施携帯では、メンテナンス業者は、住宅設備機器１のうちの一つの機器についてメンテナンス作業を行った後、他の機器に住宅設備機器１のうちの他の機器についてメンテナンス作業を行う場合には、当該他の機器に対応する認証コードを改めて携帯端末２５に入力する。その後、当該他の機器に関して上記ステップ７ｂ，８ｂの処理が上記と同様に行われる。
【０１３０】
本実施形態は、以上説明した事項以外は、第１実施形態と同じである。また、本実施形態において、以上説明したメンテナンス作業に関する処理は、住戸Ｈの住宅設備機器１以外の他の住の住宅設備機器のメンテナンス作業においても同様である。
【０１３１】
かかる本実施形態でも第１実施形態と同様に、セキュリティを確保しつつ、住宅設備機器のメンテナンス作業の利便性を高めることができる。
【０１３２】
また、メンテナンス業者は、各住戸の住宅設備機器のうち、携帯端末２５で入力した認証コードに対応する一つの機器に関する機器情報だけを、機器データ管理サーバ２０から携帯端末２５に取得することができる。このため、第２実施携帯と同様に、各住戸の住宅設備機器を構成する複数の機器のそれぞれに関する機器情報が、同じ名称のエラーコードを使用している場合であっても、メンテナンス業者が、携帯端末２５で表示される機器情報が、どの機器に対応するものであるかを混同してしまうことを防止できる。
【０１３３】
また、機器データ管理サーバ２０が発行する認証コードは、その発行の都度、新規に発行されるものであると共に、有効期間が設定されているので、第１実施形態と同様に、メンテナンス業者もしくは第３者が、メンテナンス作業外で、過去に発行された認証コードを使用して、機器データ管理サーバ２０から住宅設備機器の機器情報を不正に取得するのを防止することができる。
【０１３４】
また、メンテナンス業者は、各住戸の住宅設備機器を構成する複数の機器のそれぞれに対応する複数の認識コードを一括して取得することができるので、例えば、該複数の認識コードを順番に使用して、複数の機器のそれぞれのメンテナンスを順番に行うことを効率よく遂行することが可能となる。
【０１３５】
なお、以上説明した各実施形態では、給湯装置１Ａのリモコン３が本発明における操作部及び報知部としての機能を有するものであるが、本発明における操作部及び報知部はリモコンとは別のものであってもよく、又は操作部と報知部とは、互いに別体の構成要素であってもよい。
【符号の説明】
【０１３６】
１（１Ａ，１Ｂ，１Ｃ）…住宅設備機器、３…リモコン（操作部）、３ａ…表示部（報知部）、３ｂ…発音部（報知部）、２０…機器データ管理サーバ（サーバ）、２５…携帯端末、ＮＷ…外部ネットワーク。
【図１】
2019008685.tif 000003